(57)【要約】【課題】蓄熱媒体を別途保有する必要がなく、それ故に蓄熱媒体を格納する巨大な容器を必要とせずに低温液化ガス貯留タンクにおけるＢＯＧの発生を抑制できる低温液化ガス貯留タンクのＢＯＧ抑制方法及び装置を提供する。【解決手段】本発明に係る低温液化ガス貯留タンクのＢＯＧ抑制方法は、低温液化ガスの一例であるＬＮＧ５を貯蔵するＬＮＧタンク３内でのＢＯＧの発生を抑制する方法であって、ＬＮＧタンク３内のＬＮＧ５を抜き出して、抜き出したＬＮＧ５を冷却して過冷却ＬＮＧ７にしてＬＮＧタンク３の底部に戻すことで過冷却ＬＮＧ７をＬＮＧタンク３の底部に温度成層化して貯留し、ＬＮＧタンク３内の底部に貯留されている過冷却ＬＮＧ７を液面近傍に適宜供給してＬＮＧタンク３内の液面の温度を低下させることでＢＯＧの発生を抑制することを特徴とするものである。【選択図】  図１
2019138329.tif 000002
【特許請求の範囲】
【請求項１】
低温液化ガスを貯蔵する低温液化ガス貯留タンク内でのＢＯＧの発生を抑制する低温液化ガス貯留タンクのＢＯＧ抑制方法であって、
前記低温液化ガス貯留タンク内の低温液化ガスを抜き出して、該抜き出した低温液化ガスを冷却して過冷却低温液化ガスにして前記低温液化ガス貯留タンクの底部に戻すことで過冷却低温液化ガスを前記低温液化ガス貯留タンクの底部に温度成層化して貯留し、
前記低温液化ガス貯留タンク内の底部に貯留されている過冷却低温液化ガスを液面近傍に適宜供給して前記低温液化ガス貯留タンク内の液面の温度を低下させることでＢＯＧの発生を抑制することを特徴とする低温液化ガス貯留タンクのＢＯＧ抑制方法。
【請求項２】
低温液化ガスを貯蔵する低温液化ガス貯留タンク内でのＢＯＧの発生を抑制する低温液化ガス貯留タンクのＢＯＧ抑制装置であって、
前記低温液化ガス貯留タンク内の低温液化ガスを抜き出して該抜き出した低温液化ガスを冷却装置で冷却して過冷却低温液化ガスを生成し、前記低温液化ガス貯留タンクの底部に戻すことで過冷却低温液化ガスを前記低温液化ガス貯留タンクの底部に温度成層化して貯留する低温液化ガス貯留タンク内温度成層化手段と、
前記低温液化ガス貯留タンク内の底部に貯留されている過冷却低温液化ガスを前記低温液化ガス貯留タンク内に貯蔵されている低温液化ガスの液面近傍に供給する過冷却低温液化ガス供給手段とを備えたことを特徴とする低温液化ガス貯留タンクのＢＯＧ抑制装置。
【請求項３】
前記低温液化ガス貯留タンクの底部に前記過冷却低温液化ガスを貯留する領域を仕切るための間仕切り板を設けたことを特徴とする請求項２記載の低温液化ガス貯留タンクのＢＯＧ抑制装置。
【請求項４】
前記冷却装置は、低温液化ガス貯留タンクから払い出される低温液化ガスの冷熱を利用して前記抜き出した低温液化ガスを冷却する冷凍機であることを特徴とする請求項２又は３に記載の低温液化ガス貯留タンクのＢＯＧ抑制装置。
【請求項５】
前記冷却装置は、蒸発器と該蒸発器内の蒸発ガスを抜き出して圧縮するコンプレッサを備えてなることを特徴とする請求項２又は３に記載の低温液化ガス貯留タンクのＢＯＧ抑制装置。
【請求項６】
前記コンプレッサは、既設のＢＯＧ抜出しラインに設けられているＢＯＧ圧縮機であることを特徴とする請求項５記載の低温液化ガス貯留タンクのＢＯＧ抑制装置。
【発明の詳細な説明】
【技術分野】
【０００１】
本発明は、ＬＮＧ（液化天然ガス）、ＬＰＧ（液化石油ガス）、液化窒素等の低温液化ガスを貯留する低温液化ガス貯留タンクにおける蒸発ガス(以下、「ＢＯＧ(Boil  Off  Gas)」という)の発生を抑制する低温液化ガス貯留タンクのＢＯＧ抑制方法及び装置に関する。
【背景技術】
【０００２】
ＬＮＧのような低温液化ガスをタンクに貯蔵する場合、周囲からの入熱によりタンク内のＬＮＧは常時加熱されている。ＬＮＧタンク内圧は、内部に貯蔵されているＬＮＧの液面温度の飽和圧力相当となる。そのため、入熱によりＬＮＧ液面温度が上昇すると、ＬＮＧタンク内圧も上昇する。
【０００３】
ＬＮＧタンク内圧を設計圧力以下に調整するには、ＬＮＧが蒸発して発生するＢＯＧをＬＮＧタンク外へ排出する必要がある。
ＢＯＧは可燃性ガスであるため、保安、経済性及び環境に与える影響の観点から大気中への放散は極力避けることが望ましい。
一般的にＢＯＧを処理する方法として、(1)ＢＯＧ圧縮機を用いて昇圧して送出ガスへ混合する方法と、(2)ＢＯＧを再液化して処理する方法とが採用されてきた。
(1)の方法は圧縮機動力が大きいため、(2)の再液化する方法が省エネルギーの面で望ましい。
【０００４】
しかし、ＢＯＧを再液化するためには冷却する必要があり、その冷熱源としてＬＮＧタンクから払出すＬＮＧの保有冷熱が用いられる。ただし、払出しＬＮＧ量の少ない場合（夜間など）はＢＯＧ再液化に必要な冷熱が不足する。ＢＯＧは払出しＬＮＧ量とは関係なく常時発生するため、夜間のように払出しＬＮＧ量が少ない場合は、消費動力の大きい(1)の方法、すなわちＢＯＧ圧縮機を用いて発生ＢＯＧを優先的に送出している。
そこで、払出し量の多い昼間の冷熱を蓄冷しておき、蓄冷した冷熱を夜間に使用してＢＯＧを再液化する技術が、例えば特許文献１、２に開示されている。
【０００５】
特許文献１においては、払出ＬＮＧが多い時間帯の余剰冷熱を用いて空気を液化し、払出ＬＮＧが少ない時間帯にその液化空気の冷熱をＢＯＧ再液化に利用している。
また、特許文献２においては、-100℃以下で固液相変化する媒体と、-50〜-100℃で固液相変化する媒体を組み合わせて蓄冷している。
【先行技術文献】
【特許文献】
【０００６】
【特許文献１】特開平１０−１９１９９号公報
【特許文献２】特開平１１−１１８０９９号公報
【発明の概要】
【発明が解決しようとする課題】
【０００７】
しかしながら、特許文献１、２に開示された方法は、いずれもすでに発生したＢＯＧを再液化するものである。また、払出しＬＮＧ量の少ない場合にもＢＯＧを再液化するためには、払出しＬＮＧの冷熱を蓄冷する蓄熱媒体が必要となり、その蓄熱媒体を貯蔵する容器が必要となる。そして、大量の冷熱を蓄熱するためには、蓄熱媒体の貯蔵容器の容積も大きなものが必要となるという問題がある。
上記の説明は、低温液化ガスとしてＬＮＧを例に挙げて説明したが、同様の課題は、ＬＰＧ（液化石油ガス）、液化窒素等の他の低温液化ガスやこれを貯留する低温液化ガス貯留タンクについても存在する。
【０００８】
本発明は、かかる課題を解決するためになされたものであり、蓄熱媒体を別途保有する必要がなく、それ故に蓄熱媒体を格納する巨大な容器を必要とせずに低温液化ガス貯留タンクにおけるＢＯＧの発生自体を抑制できる低温液化ガス貯留タンクのＢＯＧ抑制方法及び装置に関する。
【課題を解決するための手段】
【０００９】
（１）本発明に係る低温液化ガス貯留タンクのＢＯＧ抑制方法は、低温液化ガスを貯蔵する低温液化ガス貯留タンク内でのＢＯＧの発生を抑制する低温液化ガス貯留タンクのＢＯＧ抑制方法であって、
前記低温液化ガス貯留タンク内の低温液化ガスを抜き出して、該抜き出した低温液化ガスを冷却して過冷却低温液化ガスにして前記低温液化ガス貯留タンクの底部に戻すことで過冷却低温液化ガスを前記低温液化ガス貯留タンクの底部に温度成層化して貯留し、
前記低温液化ガス貯留タンク内の底部に貯留されている過冷却低温液化ガスを液面近傍に適宜供給して前記低温液化ガス貯留タンク内の液面の温度を低下させることでＢＯＧの発生を抑制することを特徴とするものである。
【００１０】
（２）本発明に係る低温液化ガス貯留タンクのＢＯＧ抑制装置は、低温液化ガスを貯蔵する低温液化ガス貯留タンク内でのＢＯＧの発生を抑制する低温液化ガス貯留タンクのＢＯＧ抑制装置であって、
前記低温液化ガス貯留タンク内の低温液化ガスを抜き出して該抜き出した低温液化ガスを冷却装置で冷却して過冷却低温液化ガスを生成し、前記低温液化ガス貯留タンクの底部に戻すことで過冷却低温液化ガスを前記低温液化ガス貯留タンクの底部に温度成層化して貯留する低温液化ガス貯留タンク内温度成層化手段と、
前記低温液化ガス貯留タンク内の底部に貯留されている過冷却低温液化ガスを前記低温液化ガス貯留タンク内に貯蔵されている低温液化ガスの液面近傍に供給する過冷却低温液化ガス供給手段とを備えたことを特徴とするものである。
【００１１】
（３）また、上記（２）に記載のものにおいて、前記低温液化ガス貯留タンクの底部に前記過冷却低温液化ガスを貯留する領域を仕切るための間仕切り板を設けたことを特徴とするものである。
【００１２】
（４）また、上記（２）又は（３）に記載のものにおいて、前記冷却装置は、低温液化ガス貯留タンクから払い出される低温液化ガスの冷熱を利用して前記抜き出した低温液化ガスを冷却する冷凍機であることを特徴とするものである。
【００１３】
（５）また、上記（２）又は（３）に記載のものにおいて、前記冷却装置は、蒸発器と該蒸発器内の蒸発ガスを抜き出して圧縮するコンプレッサを備えてなることを特徴とするものである。
【００１４】
（６）また、上記（５）に記載のものにおいて、前記コンプレッサは、既設のＢＯＧ抜出しラインに設けられているＢＯＧ圧縮機であることを特徴とするものである。
【発明の効果】
【００１５】
本発明においては、低温液化ガス貯留タンク内の低温液化ガスを抜き出して、該抜き出した低温液化ガスを冷却して過冷却低温液化ガスにして前記低温液化ガス貯留タンクの底部に戻すことで過冷却低温液化ガスを前記低温液化ガス貯留タンクの底部に温度成層化して貯留し、前記低温液化ガス貯留タンク内の底部に貯留されている過冷却低温液化ガスを液面近傍に適宜供給して前記低温液化ガス貯留タンク内の液面の温度を低下させるようにしたので、ＢＯＧの発生自体を抑制できる上に、低温液化ガス貯留タンク内に大量にある低温液化ガスそのもので冷熱を蓄熱でき、蓄熱媒体を別途保有する必要がなく、蓄熱媒体を格納する巨大な容器も必要としない。
【図面の簡単な説明】
【００１６】
【図１】実施の形態１に係るＬＮＧタンクのＢＯＧ抑制装置の説明図である。
【図２】実施の形態１に係るＬＮＧタンクのＢＯＧ抑制装置の他の態様の説明図である。
【図３】実施の形態２に係るＬＮＧタンクのＢＯＧ抑制装置の説明図である。
【図４】実施の形態２に係るＬＮＧタンクのＢＯＧ抑制装置の他の態様の説明図である。
【図５】実施の形態３に係るＬＮＧタンクのＢＯＧ抑制装置の説明図である。
【図６】実施の形態３に係るＬＮＧタンクのＢＯＧ抑制装置の他の態様の説明図である。
【発明を実施するための形態】
【００１７】
本発明に係る低温液化ガス貯留タンクのＢＯＧ抑制方法及び装置について、低温液化ガスとしてＬＮＧを、低温液化ガス貯留タンクとしてＬＮＧタンクを、それぞれ例に挙げて説明する。
［実施の形態１］
本実施の形態に係るＬＮＧタンクのＢＯＧ抑制装置１は、図１に示すように、ＬＮＧタンク３内のＬＮＧ５を抜き出して過冷却してＬＮＧタンク３の底部に戻すことで過冷却ＬＮＧ７をＬＮＧタンク３の底部に温度成層化するＬＮＧタンク内温度成層化手段９と、ＬＮＧタンク３内の底部に貯留されている過冷却ＬＮＧ７を液面近傍に供給する過冷却ＬＮＧ供給手段１１とを備えている。
なお、本明細書において過冷却ＬＮＧ７を供給する場所としての液面近傍は、液面上及び液面下のいずれも含む。
以下、各構成を詳細に説明する。
【００１８】
＜ＬＮＧタンク内温度成層化手段＞
ＬＮＧタンク内温度成層化手段９は、ＬＮＧタンク３から抜き出したＬＮＧ５を後述の冷凍機１５に供給するＬＮＧ供給管１３と、ＬＮＧ供給管１３から供給されるＬＮＧ５を冷却して過冷却ＬＮＧ７を生成する冷却装置としての冷凍機１５と、冷凍機１５で過冷却された過冷却ＬＮＧ７をＬＮＧタンク３の底部に戻す過冷却ＬＮＧ戻し管１７とを備えている。
【００１９】
《ＬＮＧ供給管》
ＬＮＧ供給管１３は、ＬＮＧ送出管１９から分岐して設けられ、ＬＮＧ送出ポンプ２１によってＬＮＧ送出管１９に送出されるＬＮＧ５の一部を冷凍機１５に供給する。
《冷凍機》
冷凍機１５は、ＬＮＧ供給管１３によって供給されるＬＮＧ５を窒素ガス等の作動媒体で冷却するためのものであり、ＬＮＧ送出管１９を流れるＬＮＧ５の冷熱を利用するのが望ましい。これは、ＬＮＧを過冷却するための低温を発生させる際に、常温（例えば空気や海水の温度）との間で冷凍機を作動させるよりも、ＬＮＧ５の温度との間で作動させた方が消費エネルギーが小さくてすむからである。図１は、ＬＮＧ５の冷熱を利用する場合を示したものであり、ＬＮＧ供給管１３によって供給されるＬＮＧ５を窒素ガス等の作動媒体で冷却する第１熱交換器２３と、窒素ガス等の作動媒体を、ＬＮＧ送出管１９を流れるＬＮＧ５の冷熱によって凝縮するための第２熱交換器２５を備えている。
【００２０】
《過冷却ＬＮＧ戻し管》
過冷却ＬＮＧ戻し管１７は、冷凍機１５で過冷却された過冷却ＬＮＧ７をＬＮＧタンク３の底部に戻すものである。
過冷却ＬＮＧ戻し管１７の下端部は、ＬＮＧタンク３の底部近くまで延出しており、戻される過冷却ＬＮＧ７はＬＮＧタンク３の底部に温度成層化して貯留される。
【００２１】
なお、ＬＮＧタンク３の底部において、過冷却ＬＮＧ７が貯留される領域と、ＬＮＧ送出ポンプ２１によって送出されるＬＮＧ５が貯留される領域とを区画するために、図１に示すように、ＬＮＧタンク３の底部に間仕切り板２７を設けるのが好ましい。
間仕切り板２７は、ＬＮＧタンク３の底面に設置され、その高さはＬＮＧタンク運用上のＬＮＧ最低液位以下とする。これは、ＬＮＧ５が払い出されたときに、間仕切り板２７で仕切られた領域の内外で液位差が生じないようにするためである。
【００２２】
＜過冷却ＬＮＧ供給手段＞
過冷却ＬＮＧ供給手段１１は、ＬＮＧタンク３内の底部に貯留されている過冷却ＬＮＧ７を、同じくＬＮＧタンク３内に貯留されているＬＮＧ５の液面近傍に供給するものであり、過冷却ＬＮＧ７を汲み上げる汲み上げポンプ２９と、汲み上げポンプ２９によって汲み上げられる過冷却ＬＮＧ７を液面近傍に供給する供給管３１と、供給管３１に設けられて供給管３１を流れる液量を調整する流量制御弁３３とを備えている。
汲み上げポンプ２９は、ＬＮＧタンク３の底部における過冷却ＬＮＧ７を汲み上げることができれば、その形態は特に限定されない。また、流量制御弁３３を設置する代わりに、汲み上げポンプ２９の回転数を制御することによって、供給管３１を流れる液量を調整してもよい。
【００２３】
以上のように構成された本実施の形態の動作を説明する。
払出しＬＮＧ量が多い昼間等は、ＬＮＧ５はＬＮＧ送出管１９を介してＬＮＧタンク３から送出されると共に、冷凍機１５を運転する。
送出されるＬＮＧ５は、過冷却ＬＮＧ７ではなく、過冷却ＬＮＧ７が貯留される領域の外側の領域に貯留されているＬＮＧ５である。
そして、ＬＮＧ送出管１９から送出されるＬＮＧ５の一部がＬＮＧ供給管１３を介して第１熱交換器２３に供給される。
【００２４】
第１熱交換器２３に供給されたＬＮＧ５は、冷却されて過冷却ＬＮＧ７となって、過冷却ＬＮＧ戻し管１７を通じてＬＮＧタンク３の底部に戻される。
ＬＮＧは冷却されるほど密度が大きくなるので、過冷却ＬＮＧ７は過冷却されていないＬＮＧ５より密度が大きい。そのため、戻された過冷却ＬＮＧ７はＬＮＧタンク３の底部に温度成層化して貯留される。すなわち、過冷却ＬＮＧ７はＬＮＧタンク３の底部近くに下層として、過冷却されていないＬＮＧ５は過冷却ＬＮＧ７層の上方に上層として貯留される。
【００２５】
ＬＮＧタンク内圧は貯留されているＬＮＧ液面温度で決まり、ＬＮＧ液面温度の飽和圧力相当になる。本発明では、過冷却ＬＮＧ７はＬＮＧタンク３の底部に貯留され、ＬＮＧタンク内の液面近くには過冷却されていないＬＮＧ５が存在するので、タンク内圧は、従来運用時の圧力（設計圧力）と同等となる。
仮に過冷却ＬＮＧ７を液面近くに戻すと、ＬＮＧタンク内圧がその表面温度の飽和圧力相当まで低下することになり、ＬＮＧタンク３の設計下限圧以下（例えば負圧）になってしまいＬＮＧタンク３が破損する危険があるが、本発明ではこのような事態が生じない。
【００２６】
冷凍機１５の稼動中、作動媒体は供給されたＬＮＧ５と第１熱交換器２３で熱交換してガス化し、冷凍機１５の図示しないコンプレッサで圧縮され、第２熱交換器２５に供給される。第２熱交換器２５では、払い出されるＬＮＧ５との熱交換により凝縮して液化し、冷凍機１５の図示しない膨張弁などで減圧された後に第１熱交換器２３に供給される。
【００２７】
前述したように、ＬＮＧタンク３内のＬＮＧ５は周囲からの入熱により常時加熱されており、ＬＮＧ５の液面温度が上昇するため、ＢＯＧが発生してＬＮＧタンク３の内圧も上昇する。
そこで、汲み上げポンプ２９を稼動して、ＬＮＧタンク３の底部に貯留されている過冷却ＬＮＧ７を、供給管３１を介してＬＮＧタンク内に貯留されているＬＮＧの液面近傍に供給する。これによって、液面温度が低下して、ＢＯＧの発生量を抑制でき、ＬＮＧタンク３の内圧が低下する。
【００２８】
なお、本ＢＯＧ抑制装置の運用においては、汲み上げポンプ２９および流量制御弁３３を制御することにより、液面近傍に供給される過冷却ＬＮＧ７の量を調整して、ＬＮＧタンク内圧をコントロールすることになる。すなわち、ＬＮＧタンク内圧をモニターしておき、ＬＮＧタンク内圧が所定の圧力（例えばＬＮＧタンク３の標準運用圧力）を超過した場合に汲み上げポンプ２９を稼動させ、所定の圧力以下に維持できるよう、液面近傍に供給される過冷却ＬＮＧ７の量を流量制御弁３３により調整する。この際、ＬＮＧタンク３に、タンク内のＬＮＧ液位を検知する液位計や、気相部、液相部の高さ方向の温度分布を検知する複数の温度検知器、供給管３１から供給される過冷却ＬＮＧ７の温度を検知する温度検知器を設けておき、ＬＮＧタンク内圧に加えてこれらで検知されるＬＮＧ液位や温度も参照して、汲み上げポンプ２９および流量制御弁３３を制御してもよい。
【００２９】
たとえば、ＬＮＧタンク３の底部に貯留されている過冷却ＬＮＧ７が少なくなってくると、供給管３１から供給されるＬＮＧ温度が上昇し、ＬＮＧ５温度に近づいてくる。このような場合、供給管３１から供給されるＬＮＧ温度とＬＮＧ５温度の差がある閾値以下、（たとえば１℃以下）になったら、汲み上げポンプ２９を停止するようにするようにしてもよい。
【００３０】
なお、ＬＮＧタンク３の底部に貯留される過冷却ＬＮＧ７の量が多くなるにしたがってタンク内ＬＮＧ全量の平均温度が低下することになる。過冷却ＬＮＧ７とＬＮＧ５の温度成層が保たれている状況では、平均温度が低下してもＬＮＧタンク内圧は液面温度、すなわちＬＮＧ５の温度に保たれることになるが、万が一何らかの作用によりＬＮＧタンク３内のＬＮＧ全量が混合されると液面温度が低下し、ＬＮＧタンク内圧がタンク設計圧力以下となってＬＮＧタンク３が破損することが懸念される。
そこで、万一ＬＮＧタンク３内がタンク設計圧力以下となった場合に備えて、ＬＮＧタンク気相部にＬＮＧ気化ガスや不活性ガスを供給する手段を設けておくとよい。
【００３１】
また、本ＢＯＧ抑制装置の運用方法として、タンク内ＬＮＧ全量を冷却した後に、過冷却ＬＮＧ７をＬＮＧタンク３の底部に温度成層化して貯留するようにしてもよい。たとえば、ＬＮＧタンク内圧がタンク設計圧力下限まで低下するまでは、過冷却ＬＮＧ７をＬＮＧタンク３の底部に戻しつつ、汲み上げポンプ２９を稼動して過冷却ＬＮＧ７を貯留されているＬＮＧの液面近傍に供給する。こうすることによって、タンク内ＬＮＧ全量の温度が低下していく。ＬＮＧタンク内圧がタンク設計圧力下限まで低下した後は、汲み上げポンプ２９を停止し、過冷却ＬＮＧ７をＬＮＧタンク３の底部に温度成層化して貯留する。タンク内ＬＮＧ温度は低下しているとはいっても、過冷却ＬＮＧ７よりは高い温度であるため、過冷却ＬＮＧ７は温度成層化して貯留することができる。
このような運用によって、タンク内ＬＮＧの表面温度および、タンク内ＬＮＧ全量の平均温度をより低下させることが可能となり、ＢＯＧ抑制効果を高めることができる。なお、タンク内ＬＮＧ全量を冷却する手段は、上述したものに限定されない。たとえば、過冷却ＬＮＧ７をＬＮＧタンク３内の液面近傍に戻すラインを追加してもよい。
【００３２】
以上のように、本実施の形態によれば、ＢＯＧの発生自体を抑制できる上に、ＬＮＧタンク３内に大量にあるＬＮＧ５そのもので冷熱を蓄熱でき、蓄熱媒体を別途保有する必要がない。このため、従来例のように別途蓄熱媒体を格納するための巨大な容器が不要となる。
【００３３】
なお、上記の説明では、過冷却ＬＮＧ供給手段１１の例として、供給管３１によって過冷却ＬＮＧ７をＬＮＧ液面の上方（気相部）から液面近傍に供給するものを示したが、本発明はこれに限られるものではなく、例えばＬＮＧタンク３の底部の過冷却ＬＮＧ７を液中からノズルによって噴出して液中から液面近傍に供給するようにしてもよい。
【００３４】
また、上記の例では、払い出されるＬＮＧ５の一部を第１熱交換器２３に供給するようにしたが、図２に示すように、過冷却ＬＮＧ供給手段１１を構成する供給管３１から分岐配管３５を設け、分岐配管３５によって第１熱交換器２３に冷却対象となるＬＮＧ５（過冷却ＬＮＧ７）を供給するようにしてもよい。
この場合、分岐配管３５に第２流量制御弁３７を設けて、第１熱交換器２３に供給する液量と供給管３１に供給する液量を、流量制御弁３３と第２流量制御弁３７で調整するようにすればよい。
【００３５】
［実施の形態２］
本実施の形態に係るＬＮＧタンクのＢＯＧ抑制装置３９は、図３に示すように、実施の形態１における冷凍機１５に代えて蒸発器４１を用いるようにしたものである。図３において、図１と同一又は対応する部分には同一の符号を付して、説明を省略する。
払出されるＬＮＧ５の一部はＬＮＧ供給管１３を介して蒸発器４１に供給され、蒸発器４１の容器内に噴出される。蒸発器４１内部は蒸発ガス戻し管４３を介して接続されている圧縮機４５によってＬＮＧタンク内圧よりは低圧状態に保たれている。これにより、ＬＮＧ５は蒸発器４１内で蒸発し、蒸発器４１内の圧力における飽和温度近くまで温度低下して過冷却ＬＮＧ７となって、過冷却ＬＮＧ戻し管１７を介してＬＮＧタンク３の底部に戻される。
【００３６】
蒸発器４１で発生する蒸発ガス（以下、「蒸発ガス」という）は蒸発ガス戻し管４３から圧縮機４５に供給され、圧縮機４５で圧縮されて、ＬＮＧ送出管１９に設けられた再液化器４７に供給されて液化し、払い出しされるＬＮＧ５と共に需要先に供給される。再液化器４７は、払い出されるＬＮＧ５の冷熱で蒸発ガスを冷却して液化するものであるが、蒸発ガスをＬＮＧ５に直接混合して冷却・液化するミキサー型としてもよいし、伝熱面を介して間接的に冷却・液化する熱交換器型としてもよい。図３では、ミキサー型を適用した場合の例を示している。ミキサー型の場合、蒸発ガスとＬＮＧ５の圧力が概略同等である必要がある。圧縮機４５の消費動力を低減するためには、再液化器４７で直接混合する圧力を最終的に需要家に送出する圧力より低い中間圧力とし、混合後のＬＮＧ（ＬＮＧ５と蒸発ガスが液化した液の混合物）を図示しない第２のＬＮＧ送出ポンプにより中間圧力から送出圧力にまで昇圧するようにするとよい。
【００３７】
本実施の形態によれば、貯留しているＬＮＧ５自体を冷凍サイクルの作動媒体として用いるので、熱交換器２３、２５が不要となり、設備が単純となるので好ましい。
【００３８】
また、本実施の形態においても、実施の形態１でその他の態様として説明したのと同様に、図４に示すように、過冷却ＬＮＧ供給手段１１を構成する供給管３１から分岐配管３５を設け、分岐配管３５から蒸発器４１にＬＮＧ５（過冷却ＬＮＧ７）を供給するようにしてもよい。
【００３９】
［実施の形態３］
ＬＮＧタンク３には、ＬＮＧタンク３内で発生するＢＯＧを排出して、排出されるＢＯＧを再液化するための装置が備えられている場合がある。
そこで、本実施の形態に係るＬＮＧタンクのＢＯＧ抑制装置４９では、これらの既に備えられている装置を利用するものであり、この装置としては、図５に示すように、タンク内のＢＯＧを排出するＢＯＧ排出管５１、ＢＯＧ排出管５１に設けられてＢＯＧを圧縮するＢＯＧ圧縮機５３、ＬＮＧ送出管１９に設けられて圧縮されたＢＯＧを再液化するＢＯＧ再液化器５５である。なお、図５において、図３と同一又は対応する部分には同一の符号を付して、説明を省略する。
【００４０】
本実施の形態では、図５に示すように、蒸発器４１で発生する蒸発ガスをＢＯＧ圧縮機５３に供給して、ＢＯＧと共に蒸発ガスをＢＯＧ圧縮機５３で圧縮している。このため、蒸発ガスを圧縮する圧縮機４５を別途設ける必要が無い。
また、蒸発ガスの再液化についても、ＢＯＧ再液化器５５を利用しているので、蒸発ガスの再液化器４７を別途設ける必要がない。なお、ＢＯＧ再液化器５５にも、ミキサー型と熱交換器型のどちらの形態も適用できるのは、再液化器４７の場合と同様である。
【００４１】
本実施の形態によれば、実施の形態２のように、別途、圧縮機４５や再液化器４７を設ける必要がなく、設備を簡素化できるという効果が得られている。
【００４２】
また、本実施の形態においても、実施の形態２でその他の態様として説明したのと同様に、図６に示すように、過冷却ＬＮＧ供給手段１１を構成する供給管３１から分岐配管３５を設け、分岐配管３５から蒸発器４１にＬＮＧ５（過冷却ＬＮＧ７）を供給するようにしてもよい。
【００４３】
上述したように、実施の形態１〜３については、低温液化ガスとしてＬＮＧを例に挙げて説明したが、本発明に係る低温液化ガス貯留タンクのＢＯＧ抑制方法及び装置は、低温液化ガスとしてＬＮＧに限定されるものではなく、例えばＬＰＧ（液化石油ガス）、液化窒素等の他の低温液化ガスも対象としており、ＬＮＧを対象とした場合と同様の作用効果が得られる。
【符号の説明】
【００４４】
１  ＢＯＧ抑制装置（実施の形態１）
３  ＬＮＧタンク
５  ＬＮＧ
７  過冷却ＬＮＧ
９  ＬＮＧタンク内温度成層化手段
１１  過冷却ＬＮＧ供給手段
１３  ＬＮＧ供給管
１５  冷凍機
１７  過冷却ＬＮＧ戻し管
１９  ＬＮＧ送出管
２１  ＬＮＧ送出ポンプ
２３  第１熱交換器
２５  第２熱交換器
２７  間仕切り板
２９  汲み上げポンプ
３１  供給管
３３  流量制御弁
３５  分岐配管
３７  第２流量制御弁
３９  ＢＯＧ抑制装置（実施の形態２）
４１  蒸発器
４３  蒸発ガス戻し管
４５  圧縮機
４７  再液化器
４９  ＢＯＧ抑制装置（実施の形態３）
５１  ＢＯＧ排出管
５３  ＢＯＧ圧縮機
５５  ＢＯＧ再液化器
【図１】
2019138329.tif 000003
【図２】
2019138329.tif 000004
【図３】
2019138329.tif 000005
【図４】
2019138329.tif 000006
【図５】
2019138329.tif 000007
【図６】
2019138329.tif 000008